(57)【要約】  本発明は骨材締固め層にコマ型杭構造体を現場打設コンクリートで直接形成する一方、コマ型杭基礎全体を連続した一つの構造体として一体化することができて、簡便に構造物基礎の地耐力を大幅に向上させることができる現場打設コマ型杭基礎及びその施工方法に関するものである。本発明の現場打設コマ型杭基礎は地盤の上部に布設されるものであって、上広下狭のコーン状の空間形成具によって前記空間形成具と同じ形状のコマ型空間の複数が上部に形成された骨材締固め層と、前記コマ型空間の内周面に備えられる不透水性カバーと、前記不透水性カバーの内側に打設される現場打設コンクリートとで構成されて、前記骨材締固め層のコマ型空間の内部に空間形成具なしで現場打設コンクリートが直接形成されることを特徴とする。
2020517844.tif 000002
【特許請求の範囲】
【請求項１】
地盤（１）の上部に布設されるものであって、上広下狭のコーン状の空間形成具（２２）によって前記空間形成具（２２）と同じ形状のコマ型空間（２３）の複数が上部に形成された骨材締固め層（２１）と、
前記コマ型空間（２３）の内周面に備えられる不透水性カバー（２５）と、
前記不透水性カバー（２５）の内側に打設される現場打設コンクリート（２４）とで構成されて、
前記骨材締固め層（２１）のコマ型空間（２３）の内部に空間形成具（２２）なしで現場打設コンクリート（２４）が直接形成されることを特徴とする現場打設コマ型杭基礎。
【請求項２】
前記コマ型空間（２３）の上部及び骨材締固め層（２１）の上部にはコンクリートが一定の高さまでコマ型空間（２３）の内部のコンクリートと一体に打設されることを特徴とする請求項１に記載の現場打設コマ型杭基礎。
【請求項３】
前記コマ型空間（２３）は隣接するコマ型空間（２３）と互いに離隔して形成され、前記コマ型空間（２３）の上面の直径はコマ型空間（２３）間の中心間隔の５０〜９０％であることを特徴とする請求項２に記載の現場打設コマ型杭基礎。
【請求項４】
地盤（１）に根入れされるものであって、上端の一部が上部へ突出してコマ型空間（２３）の内部の現場打設コンクリート（２４）内に位置するテール部（２６）がさらに備えられることを特徴とする請求項１に記載の現場打設コマ型杭基礎。
【請求項５】
前記骨材締固め層（２１）の上部の現場打設コンクリート（２４）内には水平補強連結材（２７）が格子状に配置されることを特徴とする請求項１に記載の現場打設コマ型杭基礎。
【請求項６】
両端が下向きに傾斜して折り曲げられて隣接するコマ型空間（２３）の内部に折り曲げられた端部がそれぞれ位置する連結補強材（２８）がさらに備えられることを特徴とする請求項１に記載の現場打設コマ型杭基礎。
【請求項７】
現場打設コマ型杭基礎を施工するためのものであって、
（ａ）整地作業が完了された地盤（１）の上部に上広下狭のコーン状に上部が開放され、外周面に複数の貫通孔（２２１）が形成された網状である複数の空間形成具（２２）を配置する段階と、
（ｂ）地盤（１）の上部の前記空間形成具（２２）の間の空間に骨材を布設し、締固めて骨材締固め層（２１）を形成する段階と、
（ｃ）前記空間形成具（２２）の内部にコンクリートを打設し、
空間形成具（２２）を徐々に上部へ回収して空間形成具（２２）によって骨材締固め層（２１）に形成されたコマ型空間（２３）内に現場打設コンクリート（２４）が詰められるようにし、前記骨材締固め層（２１）の上部に現場打設コンクリート（２４）を一定の高さに打設する段階と、で構成されることを特徴とする現場打設コマ型杭基礎の施工方法。
【請求項８】
現場打設コマ型杭基礎を施工するためのものであって、
（ａ）整地作業が完了された地盤（１）の上部に外面に不透水性カバー（２５）が備えられた上広下狭のコーン状の空間形成具（２２）を複数配置する段階と、
（ｂ）地盤（１）の上部の前記空間形成具（２２）の間の空間に骨材を布設し、締固めて骨材締固め層（２１）を形成した後、前記空間形成具（２２）のみを回収し、不透水性カバー（２５）は存置して内周面に不透水性カバー（２５）が備えられるコマ型空間（２３）を形成する段階と、
（ｃ）前記コマ型空間（２３）の内部及び骨材締固め層（２１）の上部の一定の高さまで現場打設コンクリート（２４）を打設する段階と、を含んで構成されることを特徴とする現場打設コマ型杭基礎の施工方法。
【請求項９】
現場打設コマ型杭基礎を施工するためのものであって、
（ａ）整地作業が完了された地盤（１）の上部に上広下狭のコーン状の空間形成具（２２）を複数配置する段階と、
（ｂ）地盤（１）の上部の前記空間形成具（２２）の間の空間に骨材を布設し、締固めて骨材締固め層（２１）を形成した後、空間形成具（２２）の外周面の骨材締固め層（２１）にグラウト材を噴射して養生させることにより、不透水性カバー（２５）を形成し、空間形成具（２２）のみを回収してコマ型空間（２３）を形成する段階と、
（ｃ）前記コマ型空間（２３）の内部及び骨材締固め層（２１）の上部の一定の高さまで現場打設コンクリート（２４）を打設する段階と、を含んで構成されることを特徴とする現場打設コマ型杭基礎の施工方法。
【請求項１０】
前記（ｃ）段階で、構造物基礎の下部に打設される捨てコンクリート（３）は前記コマ型空間（２３）の内部及び骨材締固め層（２１）の上部に打設される現場打設コンクリート（２４）と連続打設されることを特徴とする請求項７乃至９の中のいずれか一項に記載の現場打設コマ型杭基礎の施工方法。
【発明の詳細な説明】
【技術分野】
【０００１】
本発明は骨材締固め層にコマ型杭構造体を現場打設コンクリートで直接形成する一方、コマ型杭基礎全体を連続した一つの構造体として一体化することができ、簡便に構造物基礎の地耐力を大幅に向上させることができる現場打設コマ型杭基礎及びその施工方法に関する。 
【背景技術】
【０００２】
各種の建築及び土木構造物の基礎として用いられるコマ型杭は、上部の荷重を地中に伝達するのに有利な構造であって、構造物の基礎工事として広く施工されている。
【０００３】
従来のコマ型杭は主に工場で製作されたプレキャストコンクリートのコマ型杭製品を現場へ運搬して施工する。さらに具体的に説明すれば、図１のように地面が整地された地盤１の上にコマ型杭６を据え置いた後、隣接するコマ型杭６の間の隙間に砕石などの骨材を押し込み、振動機を締固めて骨材締固め層２１を形成する方式で施工される。
【０００４】
これにより、コマ型杭の施工には製作及び運搬コストが大きな負担となるだけでなく、製品の取扱いと施工が極めて不便である。また、隣接のコマ型杭６が相互に独立して分離されており、基礎の連続性を担保することが難しく、コマ型杭６の下部骨材の中詰め及び締固め作業が完全に実施され難いという問題点がある。
【０００５】
一方、最近はコマ状の永久鋳型を利用した現場打設型のコマ型杭が多く用いられている。このような現場打設型のコマ型杭は、従来の工場製作型プレキャストコマ型杭に比べて製作及び運搬が容易であるというメリットがある。
【０００６】
一例として、韓国登録特許第１０−０９９６７２８号の「結合の容易な現場打設コマ型杭」はコマ部の結合部と鉄筋の連結溝を利用してコマ型杭の施工性を向上させたものである。
【０００７】
しかしながら、前記韓国登録特許も永久鋳型であるコマ部の体積が大きくて運搬に対する負担が多く、その詳細が複雑であるため製作に困難が伴う。
【０００８】
併せて、コマ型杭が互いに一部の幅のみが連結され、現場打設でコマ型杭基礎の形成後、硬化したコマ型杭の間の隙間へ骨材を押し込み、振動機で締固めるので、コマ型杭の下部の骨材層が完全に締固められない限界がある。
【発明の概要】
【発明が解決しようとする課題】
【０００９】
前記のような問題点を解決するために、本発明はコマ型杭を工場で製作したり、現場へ運搬したりする必要がないだけでなく、消耗品である永久鋳型用コマ部が不要な現場打設コマ型杭基礎及びその施工方法を提供しようとする。
【００１０】
本発明は迅速な施工が可能であり、工期の短縮及び経済性の向上が可能である現場打設コマ型杭基礎及びその施工方法を提供しようとする。
【００１１】
本発明は従来のコマ型杭基礎に比べて骨材の布設が容易であり、緻密な下部支持層を確保することができる現場打設コマ型杭基礎及びその施工方法を提供しようとする。
【００１２】
本発明は複数のコマ型杭の上部全体を一体化することができるだけでなく、建築物基礎のコンクリート下部の捨てコンクリートとコマ型杭全体を一体に打設する場合、上部構造物の荷重を効率よく基礎全般に分配して伝達し、耐震性能を向上させることができる現場打設コマ型杭基礎及びその施工方法を提供しようとする。 
【課題を解決するための手段】
【００１３】
好ましい実施例による本発明は、地盤の上部に布設されるものであって、上広下狭のコーン状の空間形成具によって前記空間形成具と同じ形状のコマ型空間の複数が上部に形成された骨材締固め層と、前記コマ型空間の内周面に備えられる不透水性カバーと、前記不透水性カバーの内側に打設される現場打設コンクリートとで構成されて、前記骨材締固め層のコマ型空間の内部に空間形成具なしで現場打設コンクリートが直接形成されることを特徴とする現場打設コマ型杭基礎を提供する。
【００１４】
他の好ましい実施例による本発明は、前記コマ型空間の上部及び骨材締固め層の上部にはコンクリートが一定の高さまでコマ型空間の内部のコンクリートと一体に打設されることを特徴とする現場打設コマ型杭基礎を提供する。
【００１５】
他の好ましい実施例による本発明は、前記コマ型空間は隣接するコマ型空間と互いに離隔して形成され、前記コマ型空間の上面の直径はコマ型空間間の中心間隔の５０〜９０％であることを特徴とする現場打設コマ型杭基礎を提供する。
【００１６】
他の好ましい実施例による本発明は、地盤に根入れされるものであって、上端の一部が上部へ突出してコマ型空間の内部の現場打設コンクリート内に位置するテール部がさらに備えられることを特徴とする現場打設コマ型杭基礎を提供する。
【００１７】
他の好ましい実施例による本発明は、前記骨材締固め層の上部の現場打設コンクリート内には水平補強連結材が格子状に配置されることを特徴とする現場打設コマ型杭基礎を提供する。
【００１８】
他の好ましい実施例による本発明は、両端が下向きに傾斜して折り曲げられて隣接するコマ型空間の内部に折り曲げられた端部がそれぞれ位置する連結補強材がさらに備えられることを特徴とする現場打設コマ型杭基礎を提供する。
【００１９】
他の好ましい実施例による本発明は、前記現場打設コマ型杭基礎を施工するためのものであって、（ａ）整地作業が完了された地盤の上部に上広下狭のコーン状に上部が開放され、外周面に複数の貫通孔が形成された網状である複数の空間形成具を配置する段階、（ｂ）地盤の上部の前記空間形成具の間の空間に骨材を布設し、締固めて骨材締固め層を形成する段階と、（ｃ）前記空間形成具の内部にコンクリートを打設し、空間形成具を徐々に上部へ回収して空間形成によって骨材締固め層に形成されたコマ型空間内に現場打設コンクリートが詰められるようにし、前記骨材締固め層の上部に現場打設コンクリートを一定の高さに打設する段階とで構成されることを特徴とする現場打設コマ型杭基礎の施工方法を提供する。
【００２０】
他の好ましい実施例による本発明は、前記現場打設コマ型杭基礎を施工するためのものであって、（ａ）整地作業が完了された地盤の上部に外面に不透水性カバーが備えられた上広下狭のコーン状の空間形成具を複数配置する段階、（ｂ）地盤の上部の前記空間形成具の間の空間に骨材を布設し、締固めて骨材締固め層を形成した後、前記空間形成具のみを回収し、不透水性カバーは存置して内周面に不透水性カバーが備えられるコマ型空間を形成する段階と、（ｃ）前記コマ型空間の内部及び骨材締固め層の上部の一定の高さまで現場打設コンクリートを打設する段階とを含んで構成されることを特徴とする現場打設コマ型杭基礎の施工方法を提供する。
【００２１】
他の好ましい実施例による本発明は、前記現場打設コマ型杭基礎を施工するためのものであって、（ａ）整地作業が完了された地盤の上部に上広下狭のコーン状の空間形成具を複数配置する段階、（ｂ）地盤の上部の前記空間形成具の間の空間に骨材を布設し、締固めて骨材締固め層を形成した後、空間形成具の外周面の骨材締固め層にグラウト材を噴射して養生させることにより、不透水性カバーを形成し、空間形成具のみを回収してコマ型空間を形成する段階と、（ｃ）前記コマ型空間の内部及び骨材締固め層の上部の一定の高さまで現場打設コンクリートを打設する段階とを含んで構成されることを特徴とする現場打設コマ型杭基礎の施工方法を提供する。
【００２２】
他の好ましい実施例による本発明は、前記（ｃ）段階で、構造物基礎の下部に打設される捨てコンクリートは、前記コマ型空間の内部及び骨材締固め層の上部に打設される現場打設コンクリートと連続打設されることを特徴とする現場打設コマ型杭基礎の施工方法を提供する。
【発明の効果】
【００２３】
本発明によれば、次のような効果がある。
【００２４】
第一、空間形成具が設置された状態で地盤の上部に骨材締固め層を形成し、空間形成具によって形成されるコマ型空間の内部に現場打設コンクリートでコマ型杭を形成することができる。これにより、コマ型杭を工場で製作したり、現場へ運搬したりする必要がないだけでなく、鋳型用コマ型容器も不要である。さらには、コマ型杭やコマ型容器の製作や運搬と関連したコスト負担がないので経済的である。
【００２５】
第二、コマ型杭の形成空間と捨てコンクリートまで一度にコンクリートを打設することができ、骨材の締固めが容易であり、施工の速度が極めて速いので、工期の短縮が可能である。
【００２６】
第三、コマ型杭の形成のための空間形成具の上面の直径を調節して隣接するコマ型杭の間の間隔を調節することができる。これにより、隣接するコマ型杭間に締固め作業の空間を十分に確保することにより、従来のコマ型杭に比べて骨材の布設作業を容易に行うことができ、格段に緻密な下部支持層を確保することができる。
【００２７】
第四、隣接するコマ型杭を水平補強連結材や連結補強材で連結して複数のコマ型杭全体を一体化することができる。併せて、建築物基礎のコンクリート下部の捨てコンクリートとコマ型杭のコンクリート全体を一体に打設することができる。これにより、現場打設コマ型杭全体を一つの連続した構造体として構成することにより、上部構造物の荷重を極めて効率よく基礎全般に分配して伝達することができ、耐震性能も大幅に向上可能である。
【図面の簡単な説明】
【００２８】
【図１】従来のコマ型杭基礎を示す断面図である。
【図２】本発明の現場打設コマ型杭基礎を示す断面図である。
【図３】空間形成具の実施例を示す斜視図である。
【図４】網状空間形成具を示す斜視図である。
【図５】不透水性カバーが結合された空間形成具を示す斜視図である。
【図６】テール部が備えられた本発明の現場打設コマ型杭基礎の断面図である。
【図７】水平補強連結材及び剪断連結材が備えられた本発明の現場打設コマ型杭基礎の断面図である。
【図８】連結補強材が備えられたコマ型空間を示す斜視図である。
【図９】網状空間形成具による本発明の現場打設コマ型杭基礎の施工方法に対する段階別工程を示す図である。
【図１０】不透水性カバーの具備時、一実施例による本発明の現場打設コマ型杭基礎の施工方法に対する段階別工程を示す図である。
【図１１】不透水性カバーの具備時、他の実施例による本発明の現場打設コマ型杭基礎の施工方法に対する段階別工程を示す図である。
【図１２】他の実施例による本発明の現場打設コマ型杭基礎の施工方法に対する段階別工程を示す図である。
【図１３】上部構造物を支持する現場打設コマ型杭基礎の断面図である。
【発明を実施するための形態】
【００２９】
本発明は地盤の上部に布設されるものであって、上広下狭のコーン状の空間形成具によって前記空間形成具と同じ形状のコマ型空間の複数が上部に形成された骨材締固め層と、前記コマ型空間の内周面に備えられる不透水性カバーと、前記不透水性カバーの内側に打設される現場打設コンクリートとで構成されて、前記骨材締固め層のコマ型空間の内部に空間形成具なしで現場打設コンクリートが直接形成されることを特徴とする現場打設コマ型杭基礎を提供する。
【００３０】
以下、添付の図面及び好ましい実施例によって本発明を詳しく説明する。
【００３１】
図２は本発明の現場打設コマ型杭基礎を示す断面図であり、図３は空間形成具の実施例を示す斜視図である。 
【００３２】
図２に示されたように、本発明の現場打設コマ型杭基礎は地盤１の上部に布設されるものであって、上広下狭のコーン状の空間形成具２２によって前記空間形成具２２と同じ形状のコマ型空間２３の複数が上部に形成された骨材締固め層２１と、前記コマ型空間２３の内周面に備えられる不透水性カバー２５と、前記不透水性カバー２５の内側に打設される現場打設コンクリート２４とで構成されて、前記骨材締固め層２１のコマ型空間２３の内部に空間形成具２２なしで現場打設コンクリート２４が直接形成されることを特徴とする。
【００３３】
前記骨材締固め層２１は地盤１の上部に布設されるものであって、上広下狭のコーン状の空間形成具２２によって前記空間形成具２２と同じ形状のコマ型空間２３の複数が上部に形成される。
【００３４】
前記骨材締固め層２１は地盤１の整地作業後、空間形成具２２を地盤１の上部に複数列で配置した後、空間形成具２２周辺の地盤１の上部に骨材を布設し、締固めて形成する。
【００３５】
前記空間形成具２２は骨材締固め層２１内にコマ型空間２３を形成するためのものであって、図３に示されたように上広下狭のコーン状に構成される。
【００３６】
前記空間形成具２２は現場打設コンクリート２４の打設前または後に除去されるものであって、繰り返し使用可能である。
【００３７】
前記空間形成具２２は内部が空いた板材、または木材などの内部が詰まった材料で構成可能である。
【００３８】
前記現場打設コンクリート２４は骨材締固め層２１のコマ型空間２３の内部に打設される。
【００３９】
前記現場打設コンクリート２４は一般的なコンクリートだけでなく、固化の可能なグラウト材などを含む。
【００４０】
前記現場打設コンクリート２４は空間形成具２２を除去した後、コマ型空間２３の内部に打設することができる。
【００４１】
前記現場打設コンクリート２４はコマ型空間２３の内部にコンクリートを直接打設することもでき、後述する図１２の（ｆ）のようにコマ型空間２３の内部に骨材２４’を先ず詰めた後、適当なスランプを有するセメントモルタルや粘着性のあるグラウトを注入して形成することもできる。
【００４２】
本発明では、空間形成具２２が設置された状態で地盤１の上部に骨材締固め層２１を形成し、空間形成具２２によって形成されるコマ型空間２３の内部に現場打設コンクリート２４でコマ型杭を形成する。
【００４３】
このように現場打設コンクリート２４によって骨材締固め層２１にコマ型杭を形成するので、コマ型杭を工場製作したり、現場へ運搬したりする必要がなく、消耗品である永久鋳型用コマ型容器も不要である。したがって、コマ型杭やコマ型容器の製作や運搬と関連したコスト負担がなく、便利かつ経済的である。
【００４４】
また、現場打設コンクリート２４によってコマ型杭を骨材締固め層２１に直に形成することができるので、極めて経済的かつ迅速に施工可能である。
【００４５】
前記コマ型空間２３の上部及び骨材締固め層２１の上部にはコンクリートが一定の高さまでコマ型空間２３の内部のコンクリートと一体に打設されるように構成することができる。
【００４６】
前記コンクリートはコマ型空間２３の内部に打設されることもでき、コマ型空間２３の上部と骨材締固め層２１の上部の一定の高さまで一体に打設されることもできる。
【００４７】
前記コンクリートがコマ型空間２３の内部はもちろん、コマ型空間２３の上部と骨材締固め層２１の上部の一定の高さまで一体に打設されると、複数のコマ型杭を一体化することができる。
【００４８】
併せて、捨てコンクリート３まで現場打設コンクリート２４を一度に打設することもでき、この場合、上部構造物の荷重を効率よく基礎全般に分配及び伝達し、耐震性能の向上が可能である。また、骨材締固め層が容易であり、施工の速度を極めて速くすることができ、工期の短縮が可能である。
【００４９】
前記コマ型空間２３は隣接するコマ型空間２３と互いに離隔して形成され、前記コマ型空間２３の上面の直径はコマ型空間２３間の中心間隔の５０〜９０％となるように構成することができる。
【００５０】
従来のコマ型杭は隣接する複数のコマ型杭が相互に接する構成されて、骨材の布設及び締固め作業が困難であった。
【００５１】
これに対し、本発明では、コマ型杭の上部に一定の高さにコンクリートが打設されて、隣接する複数のコマ型杭を相互に連結して一体化することができるので、複数のコマ型杭を互いに接するように設置する必要がない。
【００５２】
したがって、コマ型杭の形成のための空間形成具２２を相互に離隔して配置して隣接するコマ型空間２３も相互に離隔するように構成することにより、隣接するコマ型杭の間に十分な空間を確保可能とした。これにより、骨材の布設及び締固め作業が容易であり、緻密な下部支持層の確保が可能である。
【００５３】
前記コマ型空間２３の上面の直径がコマ型空間２３間の中心間隔の５０％未満であると、コマ型杭の下部の体積が小さすぎて骨材締固め層２１との接触面積が小さく、コマ型杭による支持力の確保に不利である。
【００５４】
前記コマ型空間２３の上面の直径がコマ型空間２３間の中心間隔の９０％を超えると、コマ型杭の空間に骨材の布設及び締固め作業が困難である。
【００５５】
諸状況を考慮すると、前記コマ型空間２３の上面の直径は好ましくはコマ型空間２３間の中心間隔の７０〜８５％が適切である。
【００５６】
図４は網状空間形成具を示す斜視図である。
【００５７】
図４に示されたように、前記空間形成具２２は上部が開放され、外周面に複数の貫通孔２２１が形成された網状に構成することができる。
【００５８】
このような網状空間形成具２２は金属材質などを網状に組み立てて用いることができる。一例として、網状空間形成具２２は事前組立鋼線網、メタルラス網、貫通孔２２１の形成のためにレーザで穿孔した穿孔鋼板などを曲げて形成することができる。この他、円錐形のスプリングに複数の垂直材を溶接して製作することも可能である。
【００５９】
前記網状空間形成具２２は外周面に複数の貫通孔２２１が形成される。
【００６０】
前記コマ型空間２３内に現場打設コンクリート２４を打設した後、空間形成具２２を上部へ持ち上げると、貫通孔２２１を通じてコマ型空間２３内に打設された硬化していないコンクリートはコマ型空間２３に残したまま空間形成具２２を回収して再使用可能である。
【００６１】
併せて、網状空間形成具２２は外側に位置する骨材締固め層２１の骨材がコマ型空間２３側へ流入されることを防止してコマ型空間２３に打設されるコマ型杭構造体の品質を保持しながら、同時に骨材締固め層２１の緩みを防止することができる。 
【００６２】
前記貫通孔２２１は外部の骨材は通過することができず内部のコンクリートは通過可能な大きさに形成する。コマ型空間２３の内部に打設するコンクリートは貫通孔２２１の外部へ流出が円滑でありながらも、なるべくスランプ値が最小となるようにすることが好ましい。
【００６３】
前記空間形成具２２は貫通孔２２１の全面積が前記空間形成具２２の外周面積全体の４０％以上となるように構成することができる。
【００６４】
前記コマ型空間２３内にコンクリートを打設した後、空間形成具２２を回収する時、空間形成具２２内のコンクリートが貫通孔２２１の外部へ容易に流出されるようにしながら、コマ型空間２３の外側の骨材がコマ型空間２３内へ流入されることを防止することができるように貫通孔２２１の面積は空間形成具２２の面積全体の４０％以上となるように構成することが好ましい。 
【００６５】
前記貫通孔２２１の面積は、より好ましくは空間形成具２２の面積全体の５０％以上となるように確保することが有利である。
【００６６】
図５は不透水性カバーが結合された空間形成具を示す斜視図である。
【００６７】
図５に示されたように、前記コマ型空間２３の内周面には不透水性カバー２５が備えられ、前記現場打設コンクリート２４は不透水性カバー２５の内側に詰められるように構成することができる。
【００６８】
図５のように不透水性カバー２５が備えられた空間形成具２２は、現場打設コンクリート２４の打設前に空間形成具２２を除去する場合に用いることができる。
【００６９】
前記不透水性カバー２５は、ある程度の剛性を有する材料で構成することが好ましい。これにより、骨材締固め層２１の布設及び締固め完了後、不透水性カバー２５がコマ型空間２３を一定に保持可能とし、空間形成具２２を回収しても現場打設コンクリート２４の養生前まで外側の骨材がコマ型空間２３の内側へ押し込まれないようにすることができる。
【００７０】
前記不透水性カバー２５は骨材締固め層２１の緩みさえ防止すれば十分であるので、過大な剛性を有する必要はない。
【００７１】
前記不透水性カバー２５は空間形成具２２の外部に繊維材などを付着した後にショットクリートを吹き付けた後、固化させることにより予め形成しておくことができるとともに、後で不透水性カバー２５を形成することも可能である。
【００７２】
前記のように不透水性カバー２５が備えられれば、空間形成具２２を早期に回収して繰り返し使用ができるので、経済的である。
【００７３】
図６はテール部が備えられた本発明の現場打設コマ型杭基礎の断面図である。
【００７４】
図６に示されたように、本発明の現場打設コマ型杭基礎は地盤１に根入れされるものであって、上端の一部が上部へ突出してコマ型空間２３の内部の現場打設コンクリート２４内に位置するテール部２６がさらに備えられることができる。
【００７５】
前記テール部２６は空間形成具２２とは別途に施工可能なものであって、コマ型空間２３の内部にテール部２６を予め設置すれば、コマ型空間２３の位置を確保することが容易である。併せて、構造物への荷重作用時、コマ型杭の変形を減少させることができる。
【００７６】
前記テール部２６は整地作業が完了された地盤１内に根入れされるので、更なる支持力の確保を期待することができる。
【００７７】
前記テール部２６は鋼管やコンクリート材など、剛性に優れた材料で構成可能である。
【００７８】
図７は水平補強連結材及び剪断連結材が備えられた本発明の現場打設コマ型杭基礎の断面図である。
【００７９】
図６、図７などに示されたように、前記骨材締固め層２１の上部の現場打設コンクリート２４内には水平補強連結材２７が格子状に配置されることができる。
【００８０】
前記水平補強連結材２７は鉄筋などで構成可能である。
【００８１】
前記水平補強連結材２７は整地作業が完了された地盤１に設置されたそれぞれの空間形成具２２を相互に連結するように格子状に設置されて空間形成具２２の垂直度を保持し、平面上の位置を確保する。
【００８２】
前記水平補強連結材２７はコマ型空間２３の形成後、または現場打設コンクリート２４の打設後、空間形成具２２を地上へ回収することができるように空間形成具２２と分離可能に設置する。
【００８３】
前記水平補強連結材２７はコマ型空間２３及び骨材締固め層２１の上部に打設される現場打設コンクリート２４内に埋め立てられて複数のコマ型杭全体を一つの構造体として連結して構造的に補強する。
【００８４】
前記水平補強連結材２７によって複数のコマ型杭の上部が全体として剛結されるので、コマ型杭間の相対的な移動や変形を著しく減少させることができる。また、上部の荷重をより効率よく支持することができ、耐震性能が大幅に向上する効果を奏することができる。
【００８５】
図７には捨てコンクリート３の上部へ突出した剪断連結材２９が示される。
【００８６】
前記剪断連結材２９は捨てコンクリート３を上部の本基礎を一体化して耐震荷重に対する水平剪断力を補強する。
【００８７】
図８は連結補強材が備えられたコマ型空間を示す斜視図である。
【００８８】
図８に示されたように、本発明の現場打設コマ型杭基礎は、両端が下向きに傾斜して折り曲げられて隣接するコマ型空間２３の内部に折り曲げられた端部がそれぞれ位置する連結補強材２８がさらに備えられることができる。 
【００８９】
前記連結補強材２８は隣接するコマ型空間２３を互いに連結して隣接するコマ型空間２３を内部まで互いに一体化する。
【００９０】
前記連結補強材２８は鉄筋などの両端を下向きに折り曲げて、折り曲げられた部分が互いに異なるコマ型空間２３の内部に挿入されるように位置させることができる。
【００９１】
図９は網状空間形成具による本発明の現場打設コマ型杭基礎の施工方法に対する段階別工程を示す図である。
【００９２】
図９の（ａ）〜（ｆ）に示された本発明の現場打設コマ型杭基礎の施工方法は、図４に示された網状空間形成具による現場打設コマ型杭基礎を施工するための方法に対するものである。
【００９３】
本発明の現場打設コマ型杭基礎の施工方法では、まず（ａ）整地作業が完了された地盤１の上部に上広下狭のコーン状に上部が開放され、外周面に複数の貫通孔２２１が形成された網状である複数の空間形成具２２を配置する（図９の（ｃ）)。
【００９４】
前記空間形成具２２は相互に離隔するように複数設置する。
【００９５】
前記空間形成具２２は上部が開放され、外周面に複数の貫通孔２２１が形成された網状空間形成具２２を利用する。
【００９６】
前記（ａ）段階を実施する前に図９の（ａ）のように地盤１の整地作業を実施し、図９の（ｂ）のようにテール部２６を予め地盤１に根入れしておくことができる。
【００９７】
前記テール部２６は上端の一部が地盤１の上部へ突出して、後で形成されるコマ型空間２３の内部の現場打設コンクリート２４内に位置することができるように位置を調節して設置する。
【００９８】
前記空間形成具２２の上部には複数の空間形成具２２を相互に連結するように水平補強連結材２７を格子状に設置することができる。
【００９９】
次に、（ｂ）地盤１の上部の前記空間形成具２２の間の空間に骨材を布設し、締固めて骨材締固め層２１を形成する（図９の（ｄ））。
【０１００】
この時、骨材は隣接する空間形成具２２の間の空間に布設した後、締固めを実施する。
【０１０１】
前記骨材の締固め作業はコムパクタや振動機を用いて実施することが好ましい。 特に、振動機による骨材締固め時、空間形成具２２の間に一定の空間が確保されるので、骨材の布設及び締固め作業が有利である。併せて、振動機の運用が容易であるので、従来のコマ型杭に比べて骨材締固め層２１の締固めも確保に有利である。
【０１０２】
そして（ｃ）前記空間形成具２２の内部にコンクリートを打設し、空間形成具２２を徐々に上部へ回収して空間形成具２２によって骨材締固め層２１に形成されたコマ型空間２３内に現場打設コンクリート２４が詰められるようにし（図９の（ｅ））、前記骨材締固め層２１の上部に現場打設コンクリート２４を一定の高さに打設する（図９の（ｆ））。
【０１０３】
図９の（ｅ）において、前記空間形成具２２はコマ型空間２３の内部に現場打設コンクリート２４を打設しながら回収する。
【０１０４】
前記のような過程を経て、現場打設コンクリート２４によって骨材締固め層２１に相互に一体に連結された複数のコマ型杭を直に形成することができる。
【０１０５】
図１０は不透水性カバーの具備時、一実施例による本発明の現場打設コマ型杭基礎の施工方法に対する段階別工程を示す図である。
【０１０６】
図１０の（ａ）〜（ｇ）に示された本発明の現場打設コマ型杭基礎の施工方法は、図５に示された空間形成具による現場打設コマ型杭基礎を施工するための方法に対するものである。
【０１０７】
本発明の現場打設コマ型杭基礎の施工方法では、まず（ａ）整地作業が完了された地盤１の上部に外面に不透水性カバー２５が備えられた上広下狭のコーン状の空間形成具２２を複数配置する（図１０の（ｃ）)。
【０１０８】
前記空間形成具２２は相互に離隔するように複数設置する。
【０１０９】
前記空間形成具２２は外面に不透水性カバー２５が備えられる。
【０１１０】
前記（ａ）段階を実施する前に、図１０の（ａ）のように地盤１の整地作業を実施し、図１０の（ｂ）のようにテール部２６を予め地盤１に根入れしておくことができる。
【０１１１】
次に、（ｂ）地盤１の上部の前記空間形成具２２の間の空間に骨材を布設し、締固めて骨材締固め層２１を形成した後（図１０の（ｄ））、前記空間形成具２２のみを回収し、不透水性カバー２５は存置して内周面に不透水性カバー２５が備えられるコマ型空間２３を形成する（図１０の（ｅ）)。
【０１１２】
前記不透水性カバー２５は骨材締固め層２１の形成後、コマ型空間２３を保持してコマ型空間２３の内部へ外側の骨材が入り込まないようにする。
【０１１３】
前記空間形成具２２の回収後には、隣接するコマ型空間２３の内部に両端が折り曲げられる連結補強材２８を位置させて隣接するコマ型空間２３を内部まで一体化するように構成することができる。
【０１１４】
そして（ｃ）前記コマ型空間２３の内部及び骨材締固め層２１の上部の一定の高さまで現場打設コンクリート２４を打設する。
【０１１５】
図１０の（ｆ）にはコマ型空間２３の内部に現場打設コンクリート２４が打設された様子が示され、図１０の（ｇ）にはコマ型空間２３の上部及び骨材締固め層２１の上部にコンクリートが打設された様子が示される。
【０１１６】
図１１は不透水性カバーの具備時、他の実施例による本発明の現場打設コマ型杭基礎の施工方法に対する段階別工程を示す図である。
【０１１７】
図１１の（ａ）〜（ｈ）に示された本発明の現場打設コマ型杭基礎の施工方法は、図５に示された空間形成具による現場打設コマ型杭基礎を施工するための方法に対するものであって、不透水性カバー２５が骨材締固め層２１の形成後に施工されるという点で図１０と異なる。 
【０１１８】
本発明の現場打設コマ型杭基礎の施工方法では、まず（ａ）整地作業が完了された地盤１の上部に上広下狭のコーン状の空間形成具２２を複数配置する（図１１の（ｃ）)。
【０１１９】
前記空間形成具２２は相互に離隔するように複数設置し、外面にまだ不透水性カバー２５が備えられていない。
【０１２０】
前記（ａ）段階を実施する前に、図１１の（ａ）のように地盤１の整地作業を実施し、図１１の（ｂ）のようにテール部２６を予め地盤１に根入れしておくことができる。
【０１２１】
次に、（ｂ）地盤１の上部の前記空間形成具２２の間の空間に骨材を布設し、締固めて骨材締固め層２１を形成した後（図１１の（ｄ））、空間形成具２２の外周面の骨材締固め層２１にグラウト材を噴射して養生させることにより、不透水性カバー２５を形成し（図１１の（ｅ）)、空間形成具２２のみを回収してコマ型空間２３を形成する（図１１の（ｆ））。
【０１２２】
前記不透水性カバー２５は空間形成具２２の外周面の骨材締固め層２１にグラウト材を噴射及び養生して形成される。前記不透水性カバー２５はコマ型空間２３を保持してコマ型空間２３の内部へ外側の骨材が入り込まないようにする。
【０１２３】
図１１の（ｆ）において、前記空間形成具２２を回収後には、隣接するコマ型空間２３の内部に両端が折り曲げられる連結補強材２８を位置させて隣接するコマ型空間２３を内部まで一体化するように構成することができる。
【０１２４】
そして（ｃ）前記コマ型空間２３の内部及び骨材締固め層２１の上部の一定の高さまで現場打設コンクリート２４を打設する。
【０１２５】
図１１の（ｇ）にはコマ型空間２３の内部に現場打設コンクリート２４が打設された様子が示され、図１１の（ｈ）にはコマ型空間２３の上部及び骨材締固め層２１の上部にコンクリートが打設された様子が示される。 
【０１２６】
図９〜図１１に示された本発明の現場打設コマ型杭基礎の施工方法では、前記（ｃ）段階で、構造物基礎の下部に打設される捨てコンクリート３は前記コマ型空間２３の内部及び骨材締固め層２１の上部に打設される現場打設コンクリート２４と連続打設されるように構成することができる。
【０１２７】
これにより、コマ型杭基礎、捨てコンクリート３及び本基礎が一体化して水平力に対する抵抗力が増加するので、上部構造物の荷重を効率よく分配して伝達することができる。
【０１２８】
図１２は他の実施例による本発明の現場打設コマ型杭基礎の施工方法に対する段階別工程を示す図である。
【０１２９】
前述のように、前記現場打設コンクリート２４は骨材締固め層２１のコマ型空間２３の内部に打設される。
【０１３０】
この時、現場打設コンクリート２４は図１２の（ｆ）のようにコマ型空間２３の内部に骨材２４’を先に詰めた後、適当なスランプを有するセメントモルタルや粘着性のあるグラウトを注入して形成することができる。
【０１３１】
図１２の（ｆ）段階を除いては、図１２の（ａ）〜（ｇ）に示された各段階は図９の（ａ）〜（ｆ）と同様である。
【０１３２】
図１３は上部構造物を支持する現場打設コマ型杭基礎の断面図である。
【０１３３】
図１３には本発明の現場打設コマ型杭基礎によって支持される上部構造物５が示される。
【０１３４】
前記コマ型杭はコマ型空間２３の内側及び外側に現場打設コンクリート２４及び骨材締固め層２１が備えられ、隣接するコマ型杭は上部が互いに一体化するように連結される。
【０１３５】
さらには、複数のコマ型杭の上部に水平補強連結材２７はもちろん、捨てコンクリート３が打設されて、複数の現場打設コマ型杭を一つの連続した構造体として構成することができるので、上部構造物５の荷重を地盤１に効率よく伝達可能である。
【図１】
2020517844.tif 000003
【図２】
2020517844.tif 000004
【図３】
2020517844.tif 000005
【図４】
2020517844.tif 000006
【図５】
2020517844.tif 000007
【図６】
2020517844.tif 000008
【図７】
2020517844.tif 000009
【図８】
2020517844.tif 000010
【図９（ａ）】
2020517844.tif 000011
【図９（ｂ）】
2020517844.tif 000012
【図９（ｃ）】
2020517844.tif 000013
【図９（ｄ）】
2020517844.tif 000014
【図９（ｅ）】
2020517844.tif 000015
【図９（ｆ）】
2020517844.tif 000016
【図１０（ａ）】
2020517844.tif 000017
【図１０（ｂ）】
2020517844.tif 000018
【図１０（ｃ）】
2020517844.tif 000019
【図１０（ｄ）】
2020517844.tif 000020
【図１０（ｅ）】
2020517844.tif 000021
【図１０（ｆ）】
2020517844.tif 000022
【図１０（ｇ）】
2020517844.tif 000023
【図１１（ａ）】
2020517844.tif 000024
【図１１（ｂ）】
2020517844.tif 000025
【図１１（ｃ）】
2020517844.tif 000026
【図１１（ｄ）】
2020517844.tif 000027
【図１１（ｅ）】
2020517844.tif 000028
【図１１（ｆ）】
2020517844.tif 000029
【図１１（ｇ）】
2020517844.tif 000030
【図１１（ｈ）】
2020517844.tif 000031
【図１２（ａ）】
2020517844.tif 000032
【図１２（ｂ）】
2020517844.tif 000033
【図１２（ｃ）】
2020517844.tif 000034
【図１２（ｄ）】
2020517844.tif 000035
【図１２（ｅ）】
2020517844.tif 000036
【図１２（ｆ）】
2020517844.tif 000037
【図１２（ｇ）】
2020517844.tif 000038
【図１３】
2020517844.tif 000039
【国際調査報告】
2020517844.tif 000040
2020517844.tif 000041
2020517844.tif 000042
2020517844.tif 000043